(57)【要約】【課題】軸筒６の前部に長手方向には摺動可能で回転不能にリング９を取り付け、軸筒６に口金１０を着脱可能に螺合することによりリング９を後退させて、軸筒６の外段６Ｅとリング９によりグリップを挾持する。従って、軸筒６に螺合される口金１０が回転してもリング９は回転しないので、グリップがねじれてしまう恐れがない筆記具を提供する。【解決手段】軸筒６の前部細径部にグリップを設け、かつ、リング９の内孔９Ａに凹溝９Ｂを形成するとともに軸筒６の前部に長手方向に伸びた突部６Ｃを形成し、突部６Ｃを凹溝９Ｂに係合させることにより、軸筒６の前部に長手方向には摺動可能で回転不能にリング９を取り付ける。更に、軸筒６に口金１０を螺合することによりリング９を後退させて、軸筒６の外段６Ｅとリング９によりグリップを挾持する。【選択図】        図１
2005111664.tif 000002
【特許請求の範囲】
【請求項１】
軸筒の前部細径部にグリップを設けた筆記具において、軸筒の前部に長手方向には摺動可能で回転不能にリングを取り付け、軸筒に口金を着脱可能に螺合することによりリングを後退させて、軸筒の外段とリングによりグリップを挾持したことを特徴とする筆記具。
【請求項２】
軸筒の前部とリングの内孔のどちらか一方に長手方向に伸びた凹溝を形成するとともに他方に突部を形成し、突部を凹溝に係合させることにより、軸筒の前部に長手方向には摺動可能で回転不能にリングを取り付けたことを特徴とする請求項１記載の筆記具。
【請求項３】
軸筒の前部外形の断面形状を非円形に形成するとともに、リングの内孔の断面形状を非円形に形成し、軸筒の前部にリングの内孔を係合させることにより、軸筒の前部に長手方向には摺動可能で回転不能にリングを取り付けたことを特徴とする請求項１記載の筆記具。
【請求項４】
柔らかい材質の内グリップと、比較的硬い材質の外グリップからなり、内グリップの外側に外グリップを被せてグリップを構成したことを特徴とする請求項１乃至３のいずれか１項に記載の筆記具。
【発明の詳細な説明】
【技術分野】
【０００１】
本発明は、軸筒の前部に長手方向には摺動可能で回転不能にリングを取り付け、軸筒の段部とリングによりグリップを挾持する筆記具に関するものである。
【背景技術】
【０００２】
従来、軸筒の前部に口金を螺合することにより、口金の後端と軸筒の外段によりグリップが挾持されるノック式シャープペンシルが知られている。（特許文献１参照）
【特許文献１】特開２００２−２３４２９２号公報
【発明の開示】
【発明が解決しようとする課題】
【０００３】
解決しようとする課題は、口金を軸筒に螺合するときにグリップが口金の後端に圧接した状態で口金が回転するためにグリップがねじれてしまい、外嵌を損ねてしまうことは勿論であるが、把持しにくくなったり、ひどい場合にはグリップが破損してしまう恐れがあった。
【課題を解決するための手段】
【０００４】
本発明は、軸筒の前部細径部にグリップを設けた筆記具において、軸筒の前部に長手方向には摺動可能で回転不能にリングを取り付け、軸筒に口金を着脱可能に螺合することによりリングを後退させて、軸筒の外段とリングによりグリップを挾持したことを第１の要旨とする。
【０００５】
また、軸筒の前部とリングの内孔のどちらか一方に長手方向に伸びた凹溝を形成するとともに他方に突部を形成し、突部を凹溝に係合させることにより、軸筒の前部に長手方向には摺動可能で回転不能にリングを取り付けたことを第２の要旨とする。
【０００６】
更に、軸筒の前部外形の断面形状を非円形に形成するとともに、リングの内孔の断面形状を非円形に形成し、軸筒の前部にリングの内孔を係合させることにより、軸筒の前部に長手方向には摺動可能で回転不能にリングを取り付けたことを第３の要旨とする。
【０００７】
更にまた、柔らかい材質の内グリップと、比較的硬い材質の外グリップからなり、内グリップの外側に外グリップを被せてグリップを構成したことを第４の要旨とする。
【発明の効果】
【０００８】
本発明の筆記具は、軸筒に口金を螺合する時に、軸筒に長手方向に摺動可能で回転不能に取り付けられたリングと軸筒の段部によりグリップを挾持する。従って、軸筒に螺合される口金が回転してもリングは回転しないので、グリップがねじれてしまう恐れは全くない。
【発明を実施するための最良の形態】
【０００９】
軸筒の前部に長手方向には摺動可能で回転不能にリングを取り付け、口金を螺合することによりリングを後退させて、軸筒の段部とリングによりグリップを挾持し、グリップがねじれてしまう恐れがない筆記具を実現した。
【実施例】
【００１０】
以下、図１及び図２に基づいて本発明の筆記具をノック式シャープペンシルで説明する。尚、図１の左側を前方とし右側を後方とする。先ず、チャック１の頭部１Ａを複数に分割して拡開可能に形成し、この頭部１Ａにテーパー面を形成する。前記チャック１の頭部１Ａに締リング２を外嵌し、チャック１の後部１Ｂにパイプ状の芯タンク３を圧入固着する。また、締リング２を受け止めるワッシャー４と芯タンク３の間にスプリング５を張架し、チャック１のテーパー面が締リング２に押圧される。
【００１１】
軸筒６の前部は図３に示すように細径に形成され、この前部には第１細径部６Ａと、第１細径部６Ａより更に細径の第２細径部６Ｂが形成される。この第２細径部６Ｂの前端に長手方向に伸びた突部６Ｃが形成され、更に突部６Ｃより前方に係止突起６Ｄが形成される。
【００１２】
この軸筒６の第２細径部６Ｂに比較的柔らかいゴムで構成された内グリップ７を外嵌し、この内グリップ７の外側に比較的硬いゴムで構成された外グリップ８を外嵌する。外グリップ８の前端には内鍔８Ａが形成され、前記内グリップ７の前端を覆う構成となっている。更に、軸筒６の第２細径部６Ｂにリング９を外嵌し、リング９の内孔９Ａに形成された凹溝９Ｂが前記軸筒６の突部６Ｃに係合することにより、リング９は軸筒６に対して長手方向には摺動可能であるが回動不能に構成される。またリング９の内孔９Ａは前記軸筒６の係止突起６Ｄの最大外径よりやや細径に形成され、リング９の抜け落ちを防止する。
【００１３】
このように構成された軸筒６に前記口金１０を螺合し、口金１０の内段１０Ａと軸筒６の前端でワッシャー４を挾持する。また、口金１０が螺合されることによって口金１０の後端に押されてリング９が後退し、リング９と軸筒６の外段６Ｅ、６Ｆによって内グリップ７及び外グリップ８が挾持される。尚、口金１０が螺合される時、口金１０は回転しながら後退していくが、リング９は回転することなく後退するので、比較的薄く形成された外グリップ８や柔らかい内グリップ７に回転方向の力が加えられず、外グリップ８や内グリップ７がねじれてしまったり、破れてしまう恐れは全くない。
【００１４】
尚、本発明は上記実施例に限定されるものではなく、軸筒の前部に摺動可能で回転不能にリングが取り付けられる構成としては、図示していないが軸筒に長手方向に伸びた凹溝を形成し、該凹溝にリングの内面に形成した突部を係合させても良いし、図４に示したように軸筒１０６の前部係合部１０６Ｇの外形を断面六角形に形成するとともにリング１０９の内孔１０９Ａを断面六角形に形成し、軸筒１０６の前部係合部１０６Ｇにリング１０９の内孔１０９Ａを係合させて構成しても良い。その他、軸筒の前部係合部を任意の断面非円形に形成するとともにリングの内孔を軸筒の前部係合部と同形の断面非円形に形成し、軸筒の前部係合部にリングの内孔を係合させて構成することも可能である。
【００１５】
また、本発明の筆記具はノック式シャープペンシルに限定されるものではなく、ボールペンやサインペンといった種々の筆記具に利用できるものである。
【００１６】
更にまた、本発明のグリップは、必ずしも内グリップと外グリップを別部品で構成する必要はなく、単にグリップを口金の後端と軸筒の外段で挾持する筆記具においても充分に効果が得られるものである。
【産業上の利用可能性】
【００１７】
軸筒に口金を螺合する時に、グリップに回転方向の力が加えられないので、グリップがねじれたり破れたりする恐れがない。
【図面の簡単な説明】
【００１８】
【図１】本発明の実施例を示す主要部断面図である。（実施例）
【図２】図１のＡ−Ａ線を示す拡大断面図である。（実施例）
【図３】軸筒の前部を示す主要部正面図である。（実施例）
【図４】本発明の他の実施例における軸筒とリングを示す拡大断面図である。（実施例）
【符号の説明】
【００１９】
６  軸筒
６Ｃ  軸筒６の突部
６Ｅ  軸筒６の外段
６Ｆ  軸筒６の外段
７  内グリップ
８  外グリップ
９  リング
９Ａ  リング９の内孔
９Ｂ  リング９の凹溝
１０  口金
１０６  軸筒
１０９  リング
１０９Ａ  リング１０９の内孔
【図１】
2005111664.tif 000003
【図２】
2005111664.tif 000004
【図３】
2005111664.tif 000005
【図４】
2005111664.tif 000006